(57)【要約】【課題】これまで焼却処分していた植物廃棄物を有効に再利用することができ、その上、単に植物廃棄物と発酵物と水とを混合するという簡単な作業により作出することができ、また、本発明に係る植物質マルチ用資材は、有害物質を含まず、所定部位に配設してもマルチ用資材からは雑草等が発生せず、仮に雑草等が発生しても土壌とは異なり、根が張らない為、草を抜き取り易く、よって、維持管理性に秀れ、しかも、配設された部位の乾燥を抑止でき、更に軽量のため非常に扱い易い植物質マルチ用資材を提供するものである。【解決手段】木の剪定くず，落ち葉，流木若しくは木くずなどの植物廃棄物と該植物廃棄物を発酵させる発酵物と水とから成る植物質マルチ用資材。【特許請求の範囲】
【請求項１】
木の剪定くず，落ち葉，流木若しくは木くずなどの植物廃棄物と該植物廃棄物を発酵させる発酵物と水とから成ることを特徴とする植物質マルチ用資材。
【請求項２】
請求項１記載の植物質マルチ用資材において、前記植物廃棄物を発酵させる微生物類を含有した有機質物質を発酵物としたことを特徴とする植物質マルチ用資材。
【請求項３】
請求項１，２いずれか１項に記載の植物質マルチ用資材において、植物廃棄物と発酵物との混合物の含水率が４０％乃至６５％となる量の水が混合されていることを特徴とする植物質マルチ用資材。
【請求項４】
請求項１〜３いずれか１項に記載の植物質マルチ用資材において、前記植物廃棄物を発酵させる発酵物として、米ぬか，おから等の食品残渣若しくは食品汚泥又はその双方が採用されていることを特徴とする植物質マルチ用資材。
【請求項５】
請求項１〜４いずれか１項に記載の植物質マルチ用資材において、肥料が混合されていることを特徴とする植物質マルチ用資材。
【発明の詳細な説明】
【０００１】
【発明の属する技術分野】
本発明は、植物廃棄物等を有効に再利用した植物質マルチ用資材に関するものである。
【０００２】
【従来の技術及び発明が解決しようとする課題】
例えば、沿道に植えられた木々や果樹園に植えられた木々を剪定することで生じる木くずや、土木工事の際に生じる木くず、家庭の庭木，落ち葉，流木等の植物廃棄物は、通常、ほとんどの場合、焼却処分されている。
【０００３】
ところで、この焼却処分される植物廃棄物の量は、毎年かなりの量に上っている。
【０００４】
この大量の植物廃棄物を焼却処分することで、二酸化炭素や環境に悪影響を与えるとされる物質が多量に発生して問題となっており、また、この焼却処分により発生する焼却灰を処分するための処分場の不足も問題となっている。
【０００５】
そのため、環境への悪影響を少しでも軽減すべく、前記植物廃棄物を堆肥化処理して再利用することが試みられている。
【０００６】
しかしながら、大量に発生する植物廃棄物を堆肥としてのみ再利用するだけでは、再利用できる植物廃棄物の量が限られるという問題点がある。
【０００７】
従って、植物廃棄物の再利用は十分には行われていないのが現状である。
【０００８】
本発明は、大量に発生する植物廃棄物を有効且つ簡易に利用して例えば敷草や敷わらの代用品として利用することができ、また、土壌地面に配設することで該土壌に有機質物質を供給することができるなど、実用性，用途性，リサイクル性に秀れた画期的な植物質マルチ用資材を提供するものである。
【０００９】
【課題を解決するための手段】
本発明の要旨を説明する。
【００１０】
木の剪定くず，落ち葉，流木若しくは木くずなどの植物廃棄物と該植物廃棄物を発酵させる発酵物と水とから成ることを特徴とする植物質マルチ用資材に係るものである。
【００１１】
また、請求項１記載の植物質マルチ用資材において、前記植物廃棄物を発酵させる微生物類を含有した有機質物質を発酵物としたことを特徴とする植物質マルチ用資材に係るものである。
【００１２】
また、請求項１，２いずれか１項に記載の植物質マルチ用資材において、植物廃棄物と発酵物との混合物の含水率が４０％乃至６５％となる量の水が混合されていることを特徴とする植物質マルチ用資材に係るものである。
【００１３】
また、請求項１〜３いずれか１項に記載の植物質マルチ用資材において、前記植物廃棄物を発酵させる発酵物として、米ぬか，おから等の食品残渣若しくは食品汚泥又はその双方が採用されていることを特徴とする植物質マルチ用資材に係るものである。
【００１４】
また、請求項１〜４いずれか１項に記載の植物質マルチ用資材において、肥料が混合されていることを特徴とする植物質マルチ用資材に係るものである。
【００１５】【発明の属する技術分野】
本発明は、植物廃棄物等を有効に再利用した植物質マルチ用資材に関するものである。
【００１６】
【発明の作用及び効果】
木の剪定くず，落ち葉，流木若しくは土木工事に伴って生じる木くず等の植物廃棄物，該植物廃棄物を発酵させる発酵物及び水を混合すると、この混合物は前記植物廃棄物及び前記発酵物の発酵作用によって発酵する。
【００１７】
この発酵の際、発酵熱が発生するため、該発酵熱によって植物廃棄物中及び発酵物中に存在する害虫や大腸菌等をはじめとする有害物質が死滅し、また、植物廃棄物中に存在する植物の種子も失活する。
【００１８】
更に、発酵によって生じる発酵熱により、植物廃棄物，発酵物及び水から成る混合物が熱せられることで水分が少ない状態となり、よって、軽量で且つ扱い易いマルチ用資材となる。
【００１９】
また、本発明のマルチ用資材を地面に配設することで、該地面はマルチ用資材によっていわば蓋をした状態となり、これにより、地面からの水分の蒸散が抑制され、該地面が乾燥することを抑止できることになる。
【００２０】
本発明は上述のように構成したから、これまで焼却処分していた植物廃棄物を有効に再利用することができ、その上、単に植物廃棄物と発酵物と水とを混合するという簡単な作業により作出することができ、また、本発明に係る植物質マルチ用資材は、有害物質を含まず、所定部位に配設してもマルチ用資材からは雑草等が発生せず、仮に雑草等が発生しても土壌とは異なり、根が張らない為、草を抜き取り易く、よって、維持管理性に秀れ、しかも、配設された部位の乾燥を抑止でき、更に軽量のため非常に扱い易い植物質マルチ用資材となる。
【００２１】
【発明の実施の形態】
本発明の一実施例を以下に説明する。
【００２２】
本実施例は、畑、果樹園等の所定部位に、敷草や敷わらの代用品として敷設する植物質マルチ用資材である。尚、マルチ用資材とは種々の用途に供される多用途資材のことをいう。
【００２３】
本実施例のマルチ用資材は、木の剪定くず，落ち葉，流木若しくは土木工事に伴って生じる木くず等の植物廃棄物と該植物廃棄物を発酵させる発酵物と水とにより形成されている。
【００２４】
植物廃棄物は、粉砕機等で予め粉砕した状態のものが採用されている。
【００２５】
尚、この植物廃棄物は、水と発酵物とを混合することで、全体的に発酵作用を有するマルチ用資材を形成する。
【００２６】
植物廃棄物を発酵させる発酵物としては、有機質物質が採用され、この有機質物質として、最も入手が容易で安価な米ぬか，おから等の食品残渣若しくは食品汚泥又はその双方が採用されている。尚、米ぬか，おから等の食品残渣や食品汚泥等には微生物が含有されており、この微生物によっても発酵が促進される。
【００２７】
本実施例では、有機質物質として米ぬかが採用されている。
【００２８】
この米ぬかは、１００ｍ３に対して２．４ｍ３、即ち、およそ７２０ｋｇの割合で混合された構成としている。
【００２９】
尚、本実施例では発酵物として有機質物質である米ぬかを採用したが、発酵物としては有機質物質（水溶性のものを含む。）であり且つ植物廃棄物を水とともに発酵させ得るものであれば、どのようなものを採用しても良い。
【００３０】
また、水分は、植物廃棄物と有機質物質との混合物の含水率が４０％乃至６５％となる量が混合されている。
【００３１】
植物廃棄物と有機質物質との混合物の含水率を４０％乃至６５％に設定するのは、該混合物の含水率が４０％以下となった場合、水分不足で発酵物による発酵が十分に行われず、大腸菌等の有害菌や雑草等の種を除去することができにくいためであり、また、含水率が６５％以上となった場合、植物廃棄物，有機質物質及び水の混合物が、発酵の際の発酵熱により加熱されて扱い易くなるまで乾燥させるのに時間がかかり、水分過多のまま敷設作業（配設作業）をすると、流動性が悪く手間がかかって前記敷設作業が行いにくくなってしまうからである。
【００３２】
実験の結果、最適な水の混合量は、植物廃棄物と有機質物質との混合物の含水率が４５％乃至６５％となる量であることを確認している。
【００３３】
尚、本実施例のマルチ用資材には、廃糖蜜等を混合させても良い。
【００３４】
本実施例のマルチ用資材には、植物廃棄物及び発酵物の混合時に肥料が混合される。
【００３５】
肥料としては、尿素が採用され、植物廃棄物１００ｍ３あたり１６０ｋｇの割合で混合されている。この肥料は、有機質物質による植物廃棄物の発酵をより活発に行うために必要な窒素分を供給するために混合される。
【００３６】
尚、本実施例では、肥料として尿素を採用したが、有機質物質による植物廃棄物の発酵を良好に行わせ得るものであればその他の成分の肥料も適宜採用しても良く、例えば、硫安や塩安等を採用しても良い。
【００３７】
本実施例では、更に発酵促進材が混合されている。
【００３８】
この発酵促進材（微生物資材等）としては、本出願人である株式会社ホーネンアグリ社製のエコアグリ１号が採用されている。
【００３９】
尚、肥料及び発酵促進材は必要に応じて所定量を加えると良いが、加えなくとも良い。
【００４０】
また、本実施例のマルチ用資材には、必要に応じてこの他にも植物廃棄物を発酵させ得る発酵菌や微生物や酵素等を混合しても良い。
【００４１】
木の剪定くず，落ち葉，流木若しくは土木工事に伴って生じる木くず等の植物廃棄物，該植物廃棄物を発酵させる米ぬか，発酵促進材（エコアグリ１号）及び水を混合する本実施例は、植物廃棄物，米ぬか及びエコアグリ１号に含まれる（若しくは付着した）微生物の発酵作用によって発酵が行われる。
【００４２】
この発酵の際、発酵熱が発生するため、該発酵熱によって植物廃棄物中及び発酵物中に存在する害虫や大腸菌等をはじめとする有害物質が死滅し、また、植物廃棄物中に存在する植物の種子も失活する。
【００４３】
更に、発酵によって生じる発酵熱により、植物廃棄物，発酵物及び水から成る混合物が熱せられることで水分が少ない状態となり、よって、軽量で且つ扱い易いマルチ用資材となる。
【００４４】
また、本実施例のマルチ用資材を地面に敷設することで、該地面はマルチ用資材によっていわば蓋をした状態となり、これにより、地面からの水分の蒸散が抑制され該地面が乾燥することを抑止することができる。
【００４５】
また、植物廃棄物へ混合する米ぬか等の有機質物質（食品残渣），肥料の量を調整することで、植物廃棄物のＣＮ比を調整し、分解速度を調整することができる。即ち、本実施例は、所定期間経過後、地表面において自然分解され易いように形成されており、また、土壌の中で自然分解されるように形成されているため、例えば、土壌と共に耕運することで、該土壌に有機質物質（炭素分及び窒素分等）を供給することができる。
【００４６】
本実施例は上述のように構成したから、これまで焼却処分していた沿道に植えられた木々や果樹園に植えられた木々を剪定することで生じる木くずや、土木工事の際に生じる木くず、家庭の庭木，落ち葉，流木等の植物廃棄物を有効に再利用することができ、その上、単に植物廃棄物と発酵物と水とを混合するという簡単な作業により作出することができ、また、本実施例に係る植物質マルチ用資材は、有害物質を含まず、所定部位に配設してもマルチ用資材からは雑草が発生せず、仮に雑草等が発生しても土壌とは異なり、根が張らない為、草を抜き取り易く、よって、維持管理性に秀れ、しかも、配設された部位の乾燥を抑止でき、更に軽量のため非常に扱い易い植物質マルチ用資材となる。
【００４７】
即ち、発酵の際に生じる発酵熱により、植物廃棄物中及び発酵物中に含まれる害虫や大腸菌等の有害物質を死滅できるため、例えば植物廃棄物中に含まれる前記有害物質を死滅させるための工程を別途設ける必要がなく、よって、極めて簡易に実現でき、且つ、安心して取り扱いができる有害物質を含まない植物質マルチ用資材となる。
【００４８】
また、発酵の際に生じる発酵熱により、植物廃棄物中に存在する植物の種子が失活されるため、本実施例のマルチ用資材を土壌地面などに敷設した際に、該敷設した部位から雑草等の植物が発生することがほとんどなく、仮に雑草等が発生しても土壌と異なり、根が深く張らない為、草を抜き取り易く、これにより、畑、沿道や果樹園等の雑草が生えると困る部位に敷設する資材としても最適となる。
【００４９】
また、発酵の際に生じる発酵熱により、植物廃棄物，発酵物及び水から成る混合物が熱せられ、該混合物中の水分が少ない状態にでき、よって、軽量で取り扱い易い。
【００５０】
更に、本実施例のマルチ用資材を保水したい箇所に敷設することで、前記保水したい箇所を該マルチ用資材によっていわば蓋をするかたちにでき、これにより、該保水したい箇所の乾燥を抑止することができる。
【００５１】
また、本実施例のマルチ用資材は、地表面において自然分解され易いように形成されており、また、土壌の中で自然分解されるように形成されているため、例えば土壌と共に耕運することで、該土壌に有機質物質（炭素分及び窒素分等）を供給することができる。